(57)【要約】      （修正有）【課題】ナビゲーション装置に関するもので、使い勝手を向上させる。【解決手段】ナビゲーション装置の本体ケースと、この本体ケースに設けた表示部５と、この表示部に接続した制御部６と、この制御部６に接続した位置検出部、地図データ記憶部７、地図データ入力部とを備え、前記地図データ記憶部７は、全国版地図エリア格納部１２と、地域版地図エリア格納部１３とを有し、前記制御部６は、前記地図データ入力部から全国版地図エリア格納部１２と、地域版地図エリア格納部１３への地図データの書き込みを選択的に行うとともに、この地図データの書き込み時において非選択の前記全国版地図エリア格納部１２、或いは地域版地図エリア格納部１３からの地図データの読み出しを可能とした。【選択図】図３
2011196922.tif 000002
【特許請求の範囲】
【請求項１】
本体ケースと、この本体ケースに設けた表示部と、この表示部に接続した制御部と、この制御部に接続した位置検出部、地図データ記憶部、地図データ入力部とを備え、前記地図データ記憶部は、広域版地図エリア格納部と、狭域版地図エリア格納部とを有し、前記制御部は、前記地図データ入力部から広域版地図エリア格納部と、狭域版地図エリア格納部への地図データの書き込みを選択的に行うとともに、この地図データの書き込み時において非選択の前記広域版地図エリア格納部、或いは狭域版地図エリア格納部からの地図データの読み出しを可能としたナビゲーション装置。
【請求項２】
制御部は、地図データ入力部から狭域版地図エリア格納部への地図データの書き込みを優先的に行う構成とした請求項１に記載のナビゲーション装置。
【発明の詳細な説明】
【技術分野】
【０００１】
本発明は、ナビゲーション装置に関するものである。
【背景技術】
【０００２】
ナビゲーション装置は、その地図データ記憶部に記憶された地図データを更新するために地図データ入力部を備えており、例えば１年に１回、前記地図データ入力部から、新規地図データを地図データ記憶部に記憶させるようになっている。
近年の地図データは情報量が極めて大きなものとなっているので、前記地図データの更新には１時間以上の時間が必要となっている。
【０００３】
そこで、地図データ記憶部に記憶された地図データに優先度をつけ、先ず優先度の低い地図データを削除し、次に削除されたエリアに優先度の高い地図データを記憶させるようにしたものもある（たとえば下記特許文献１）。
【先行技術文献】
【特許文献】
【０００４】
【特許文献１】特開２００９−１９９０５３号公報
【発明の概要】
【発明が解決しようとする課題】
【０００５】
上記従来例の課題は、使い勝手が悪いということであった。
【０００６】
すなわち、上記従来例のものでも、地図データ記憶部に記憶された地図データに優先度をつけ、先ず優先度の低い地図データを削除し、次に削除されたエリアに優先度の高い地図データを記憶させるようにすることで、この地図データの更新途中でも、その更新作業を一時中断し、更新された優先度の高い地図データの範囲内で、案内ルートの検索、表示ができるようにしている。
【０００７】
この場合、例えば優先度の高い地図データを、使用者の住居近傍の地図データとした場合、その住居近傍の案内ルートを検索、表示をさせることはできるが、遠方へ移動するときには、この案内ルートの検索、表示をさせることはできず、使い勝手が悪かった。
そこで、本発明は、使い勝手を良くすることを目的とするものである。
【課題を解決するための手段】
【０００８】
そして、この目的を達成するために本発明は、本体ケースと、この本体ケースに設けた表示部と、この表示部に接続した制御部と、この制御部に接続した位置検出部、地図データ記憶部、地図データ入力部とを備え、前記地図データ記憶部は、広域版地図エリア格納部と、狭域版地図エリア格納部とを有し、前記制御部は、前記地図データ入力部から広域版地図エリア格納部と、狭域版地図エリア格納部への地図データの書き込みを選択的に行うとともに、この地図データの書き込み時において非選択の前記広域版地図エリア格納部、或いは狭域版地図エリア格納部からの地図データの読み出しを可能とし、これにより所期の目的を達成するものである。
【発明の効果】
【０００９】
以上のように本発明は、本体ケースと、この本体ケースに設けた表示部と、この表示部に接続した制御部と、この制御部に接続した位置検出部、地図データ記憶部、地図データ入力部とを備え、前記地図データ記憶部は、広域版地図エリア格納部と、狭域版地図エリア
格納部とを有し、前記制御部は、前記地図データ入力部から広域版地図エリア格納部と、狭域版地図エリア格納部への地図データの書き込みを選択的に行うとともに、この地図データの書き込み時において非選択の前記広域版地図エリア格納部、或いは狭域版地図エリア格納部からの地図データの読み出しを可能としたものであるので、その使い勝手の良いものとなる。
【００１０】
すなわち、本発明においては、前記地図データ記憶部が、広域版地図エリア格納部と、狭域版地図エリア格納部とを有し、前記制御部は、前記地図データ入力部から広域版地図エリア格納部と、狭域版地図エリア格納部への地図データの書き込みを選択的に行うとともに、この地図データの書き込み時において非選択の前記広域版地図エリア格納部、或いは狭域版地図エリア格納部からの地図データの読み出しを可能としたものであるので、前記地図データ入力部から広域版地図エリア格納部或いは、狭域版地図エリア格納部への地図データの書き込み時であっても、この地図データの書き込み時において非選択の前記広域版地図エリア格納部、或いは狭域版地図エリア格納部からの地図データの読み出しが可能で、このときにも案内ルートの検索、表示が可能となり、その使い勝手の良いものとなる。
【図面の簡単な説明】
【００１１】
【図１】本発明の一実施形態に関するナビゲーション装置の正面図
【図２】本発明の一実施形態に関するナビゲーション装置の自動車に装着した状態を示す側面図
【図３】本発明の一実施形態に関するナビゲーション装置の制御ブロック図
【図４】本発明の一実施形態に関するナビゲーション装置の制御フローチャート
【図５】本発明の一実施形態に関するナビゲーション装置の制御フローチャート
【発明を実施するための形態】
【００１２】
（実施の形態１）
図１において、１はナビゲーション装置を示し、このナビゲーション装置１は図２に示すように自動車２の車内３前方に装着されている。
【００１３】
前記ナビゲーション装置１は、よく知られているように、図１に示す本体ケース４と、この本体ケース４に設けた表示部５と、この表示部５に接続した図３の制御部６と、この制御部６に接続したＧＰＳセンサなどを含む位置検出部（図示せず）、地図データ記憶部７、音声出力部８、地図データ処理部９などを備えている。
また、制御部６には、地図データ入力部としてデッキ処理部１０、カード処理部１１も接続されている。
【００１４】
また、地図データ記憶部７には、広域版地図エリア格納部として、例えば日本国の全国版地図エリア格納部１２が、さらに狭域版地図エリア格納部として、例えば日本国の地域版地図エリア格納部１３が設けられている。なお、地域版地図エリア格納部１３とは、例えば日本国の、九州・沖縄地方であるとか、中国地方・四国地方であるとか、関西地方であるとか、使用者の住居が存在する地方を示している。
【００１５】
本実施形態で特徴的なのは、地図データ記憶部７が、広域版地図エリア格納部として、例えば日本国の全国版地図エリア格納部１２を、さらに狭域版地図エリア格納部として、例えば日本国の地域版地図エリア格納部１３を備えていることと、前記制御部６が、これらの全国版地図エリア格納部１２と地域版地図エリア格納部１３に対して選択的に地図データの書き込みを行えること、およびこの地図データの書き込み時に非選択の前記全国版地図エリア格納部１２、あるいは地域版地図エリア格納部１３からの地図データを読み出し可能としたことである。
以下、この地図データの更新について、説明する。
【００１６】
先ず、この地図データの更新行うためには、地図データ入力部として設けた図３のデッキ処理部１０、またはカード処理部１１に、メディア（デスクやカード）を挿入する（図４のＳ１）と、制御部６により更新作業が開始される（Ｓ２）。
【００１７】
本実施形態においては、地域版地図エリア格納部１３の地図データを優先的に更新するようになっているので、住居登録情報から、地域版地図エリア格納部１３への更新地域を選択し（Ｓ３）、続けてその地域の地図データを地域版地図エリア格納部１３に対して書き込む（Ｓ４）。
この時、この地域版地図エリア格納部１３に対する地図データの更新作業が終了したか否かの判定が、繰り返し行われている（Ｓ５）。
【００１８】
この、地域版地図エリア格納部１３に対する地図データの更新作業は例えば１０分程度で終了し、その後、全国版地図エリア格納部１２への地図データの更新作業が行われる（Ｓ６）。
また、全国版地図エリア格納部１２に対する地図データの更新作業が終了したか否かの判定も、繰り返し行われる（Ｓ７）。
この、全国版地図エリア格納部１２に対する地図データの更新作業は例えば１時間程度で終了し、その後、年度更新の完了が確認される（図５のＳ８）。
【００１９】
年度更新の完了が確認されると、図３のデッキ処理部１０、またはカード処理部１１から、メディア（デスクやカード）が排出され（図５のＳ９）、この更新作業が終了する（図５のＳ１０）。
【００２０】
以上のような地図データの更新時において、例えば図４の（Ｓ５）時において、つまり地域版地図エリア格納部１３への地図データ書き込みが完了していないときにナビゲーションが起動されると（図４のＳ１１）、本実施形態では、地図データの更新をしていない全国版地図エリア格納部１２の地図データにより、目的地検索、ルート表示がなされる（図４のＳ１２）。
このため、この時でも、目的地検索、ルート表示がなされ、極めて使い勝手の良いものとなる。
【００２１】
また、図４の（Ｓ７）時において、つまり全国版地図エリア格納部１２への地図データ書き込みが完了していないときにナビゲーションが起動されると（図４のＳ１３）、本実施形態では、地図データの更新が完了している地域版地図エリア格納部１３の地図データにより、目的地検索、ルート表示がなされる（図４のＳ１４）。
このため、この時には、更新された最新の地図データにより、目的地検索、ルート表示が行え、極めて使い勝手の良いものとなる。
【産業上の利用可能性】
【００２２】
以上のように本発明は、本体ケースと、この本体ケースに設けた表示部と、この表示部に接続した制御部と、この制御部に接続した位置検出部、地図データ記憶部、地図データ入力部とを備え、前記地図データ記憶部は、広域版地図エリア格納部と、狭域版地図エリア格納部とを有し、前記制御部は、前記地図データ入力部から広域版地図エリア格納部と、狭域版地図エリア格納部への地図データの書き込みを選択的に行うとともに、この地図データの書き込み時において非選択の前記広域版地図エリア格納部、或いは狭域版地図エリア格納部からの地図データの読み出しを可能としたものであるので、その使い勝手の良いものとなる。
【００２３】
すなわち、本発明においては、前記地図データ記憶部が、広域版地図エリア格納部と、狭域版地図エリア格納部とを有し、前記制御部は、前記地図データ入力部から広域版地図エリア格納部と、狭域版地図エリア格納部への地図データの書き込みを選択的に行うとともに、この地図データの書き込み時において非選択の前記広域版地図エリア格納部、或いは狭域版地図エリア格納部からの地図データの読み出しを可能としたものであるので、前記地図データ入力部から広域版地図エリア格納部或いは、狭域版地図エリア格納部への地図データの書き込み時であっても、この地図データの書き込み時において非選択の前記広域版地図エリア格納部、或いは狭域版地図エリア格納部からの地図データの読み出しが可能で、このときにも案内ルートの検索、表示が可能となり、その使い勝手の良いものとなる。
したがって、カーナビゲーション装置などへの活用が広く期待される。
【符号の説明】
【００２４】
１  ナビゲーション装置
２  自動車
３  車内
４  本体ケース
５  表示部
６  制御部
７  地図データ記憶部
８  音声出力部
９  地図データ処理部
１０  デッキ処理部
１１  カード処理部
１２  全国版地図エリア格納部
１３  地域版地図エリア格納部
【図１】
2011196922.tif 000003
【図２】
2011196922.tif 000004
【図３】
2011196922.tif 000005
【図４】
2011196922.tif 000006
【図５】
2011196922.tif 000007